(57)【要約】【課題】作業車が旋回中におけるエンジン回転数低下の防止。【解決手段】コモンレール１を備えたエンジンＥを搭載した作業車において、作業車の旋回半径を決定する旋回半径決定手段２３を設け、該旋回半径決定手段２３の操作により燃料噴射ノズル６からのメイン噴射の前にパイロット噴射を行う構成とし、さらに、作業車の旋回半径が小さくなるほどパイロット噴射の噴射量を増量する構成としたことを特徴とする作業車の構成とする。また、作業車の旋回半径が小さくなるほど前記メイン噴射の噴射量を増量する構成としたことを特徴とする作業車の構成とする。【選択図】図４
2009085066.tif 000002
【特許請求の範囲】
【請求項１】
コモンレール（１）を備えたエンジン（Ｅ）を搭載した作業車において、作業車の旋回半径を決定する旋回半径決定手段（２３）を設け、該旋回半径決定手段（２３）の操作により燃料噴射ノズル（６）からのメイン噴射の前にパイロット噴射を行う構成とし、さらに、作業車の旋回半径が小さくなるほどパイロット噴射の噴射量を増量する構成としたことを特徴とする作業車。
【請求項２】
コモンレール（１）を備えたエンジン（Ｅ）を搭載した作業車において、作業車の旋回半径を決定する旋回半径決定手段（２３）を設け、該旋回半径決定手段（２３）の操作により燃料噴射ノズル（６）からのメイン噴射の前にパイロット噴射を行う構成とし、さらに、作業車の旋回半径が小さくなるほど前記メイン噴射の噴射量を増量する構成としたことを特徴とする作業車。
【発明の詳細な説明】
【技術分野】
【０００１】
この発明は、コモンレールを備えたエンジンを搭載した作業車に関する。
【背景技術】
【０００２】
コモンレールを搭載したエンジンにおいて、エンジンに作用する負荷に応じてパイロット噴射の時期を変更しようとする構成である。（例えば、特許文献１参照。）。
【特許文献１】特開２００１−２０７９６号公報
【発明の開示】
【発明が解決しようとする課題】
【０００３】
前述のような技術では、パイロットの噴射時期を変更するのみでは、多くの負荷が作用した場合には対応できず、エンジン回転数が低下してしまう。そして、負荷の状態によってはエンジンストップしてしまい、作業を中断しなくてはならなくなる。また、走行する地面の状況（ぬかるみ状態など）によっては、再びエンジン始動しても、走行不能になることがある。
【０００４】
本発明の課題は、前述のような不具合を解消する作業車を提供することである。
【課題を解決するための手段】
【０００５】
本発明の上記課題は次の構成によって達成される。
すなわち、請求項１記載の発明では、コモンレール（１）を備えたエンジン（Ｅ）を搭載した作業車において、作業車の旋回半径を決定する旋回半径決定手段（２３）を設け、該旋回半径決定手段（２３）の操作により燃料噴射ノズル（６）からのメイン噴射の前にパイロット噴射を行う構成とし、さらに、作業車の旋回半径が小さくなるほどパイロット噴射の噴射量を増量する構成としたことを特徴とする作業車としたものである。
【０００６】
請求項１の作用は、旋回半径決定手段（２３）を操作して作業車が旋回を開始すると、メイン噴射の前にパイロット噴射を行う。そして、旋回半径が小さいほどパイロット噴射の燃料噴射量を多くする。
【０００７】
請求項２記載の発明では、コモンレール（１）を備えたエンジン（Ｅ）を搭載した作業車において、作業車の旋回半径を決定する旋回半径決定手段（２３）を設け、該旋回半径決定手段（２３）の操作により燃料噴射ノズル（６）からのメイン噴射の前にパイロット噴射を行う構成とし、さらに、作業車の旋回半径が小さくなるほど前記メイン噴射の噴射量を増量する構成としたことを特徴とする作業車としたものである。
【０００８】
請求項２の作用は、旋回半径決定手段（２３）を操作して作業車が旋回を開始すると、メイン噴射の前にパイロット噴射を行う。そして、旋回半径が小さいほどメイン噴射の燃料噴射量を多くする
【発明の効果】
【０００９】
本発明は上述のごとく構成したので、請求項１記載の発明においては、機体が旋回中に大きな負荷が作用しても、パイロット噴射を行い、さらに、機体の旋回半径が小さくなるほどパイロット噴射の噴射量を多くするので出力が増大し、エンジン回転数の低下やエンストを防止できるようになる。
【００１０】
請求項２記載の発明においては、機体が旋回中に大きな負荷が作用しても、パイロット噴射を行い、さらに、機体の旋回半径が小さくなるほどメインの燃料噴射量を多くするので出力が増大し、エンジン回転数の低下やエンストを防止できるようになる。
【発明を実施するための最良の形態】
【００１１】
本発明を実施するための最良の形態を説明する。
図１は、蓄圧式燃料噴射装置の全体構成図である。蓄圧式燃料噴射装置は、例えば、多気筒ディーゼル機関に適用されるものであるが、ガソリン機関でもよい。そして、蓄圧式燃料噴射装置は、噴射圧力に相当する高圧燃料を蓄圧するコモンレール１と、このコモンレール１に取り付けられる圧力センサ２と、燃料タンク３より汲み上げた燃料を加圧してコモンレール１に圧送する高圧ポンプ４と、コモンレール１に蓄圧された高圧燃料をエンジンＥのシリンダー５内に噴射する燃料噴射ノズル６と、前記高圧ポンプ４と燃料噴射ノズル６等の動作を制御する制御装置（ＥＣＵ）等から構成される。ＥＣＵとは、エンジンコントロールユニットの略称である。
【００１２】
このように、コモンレール１は、エンジンＥの各シリンダー５へ燃料を噴射するものであり、燃料供給を要求された圧力とするものである。
前記燃料タンク３内の燃料は吸入通路により燃料フィルタ７を介してエンジンＥで駆動される高圧ポンプ４に吸入され、この高圧ポンプ４によって加圧された高圧燃料は吐出通路８によりコモンレール１に導かれて蓄えられる。
【００１３】
コモンレール１内の高圧燃料は各高圧燃料供給通路９により気筒数分の燃料噴射ノズル６に供給され、ＥＣＵ１００からの指令に基づき、各シリンダーに燃料噴射ノズル６が作動して、高圧燃料がエンジンＥの各シルンダー５室内に噴射供給され、各燃料噴射ノズル６での余剰燃料（リターン燃料）は各リターン通路１０により共通のリターン通路１０へ導かれ、このリターン通路１０によって燃料タンク３へ戻される。
【００１４】
また、コモンレール１内の燃料圧力（コモンレール圧）を制御するため高圧ポンプ４に圧力制御弁１１が設けられており、この圧力制御弁１１はＥＣＵ１００からのデューティ信号によって、高圧ポンプ４から燃料タンク３への余剰燃料のリターン通路１０の流路面積を調整するものであり、これによりコモンレール１側への燃料吐出量を調整してコモンレール圧を制御することができる。
【００１５】
具体的には、エンジン運転条件に応じて目標コモンレール圧を設定し、レール圧力センサ２により検出されるコモンレール圧が目標コモンレール圧と一致するよう、圧力制御弁１１を介してコモンレール圧をフィードバック制御する構成としている。
【００１６】
作業車（農作業機）におけるコモンレール１を有するディーゼルエンジンＥのＥＣＵ１００は、図２に示すように、回転数と出力トルクの関係において走行モードＡと通常作業モードＢ及び重作業モードＣの三種類の制御モードを有する構成としている。
【００１７】
走行モードＡは、エンジン回転数の変動で出力も変動するドループ制御である。農作業を行わず移動走行する場合に使用するものである。例えば、ブレーキを掛けて走行速度を減速したり停止したりすると、この走行負荷の増大に伴ってエンジン回転数が低下するため走行速度の減速や停止を安全に行うことができるものである。
【００１８】
通常作業モードＢは、負荷が変動してもエンジン回転数が一定で出力を負荷に応じて変更するアイソクロナス制御である。通常の農作業を行う場合に使用するものである。例えば、トラクターであれば耕耘作業時に耕地が固く耕耘刃に抵抗が掛かるときであり、コンバインであれば収穫作業時に収穫物が多く負荷が増大したときでも、出力が変動して回転数を維持するときである。特にコンバインにおいては、収穫作業中にエンジン回転数が低下してしまうと、脱穀装置１５の回転数も低下してしまい、その結果、選別が悪くなってしまうので、アイソクロナス制御は重要である。
【００１９】
重作業モードＣは、通常作業モードＢと同様に負荷が変動してもエンジン回転数一定で出力を負荷に応じて変更するアイソクロナス制御に加え、負荷限界近くになると回転数を上昇させて出力を上げる重負荷制御を加えた制御である。特に、負荷限界近くで農作業を行う場合に使用するものである。例えば、トラクターで耕耘作業を行っている際に、特に、固い耕地に遭遇してもエンジン出力が通常の限界を越えて増大するので作業を中断することがなく、効率の良い作業が可能となる。
【００２０】
これらの作業モードＡ，Ｂ，Ｃは、各作業モードＡ，Ｂ，Ｃを切り替え可能な作業モード切替スイッチの操作、又は農作業車（トラクター、コンバイン、田植機等）の走行変速レバーの変速操作、又は作業クラッチ（トラクターであればロータリであり、コンバインであれば刈取部、脱穀部である）の入り切り操作等によって切り替わるように構成する。
【００２１】
ディーゼルエンジンＥでは、メイン噴射に先立って少量の燃料をパルス的に噴射するパイロット噴射を行うことにより、着火遅れを短縮してディーゼルエンジンＥ特有のノック音を低減し、騒音を低減することが可能な構成としている。
【００２２】
このパイロット噴射は、メイン噴射の前に１回又は２回に限定して行われるものであったが、前記コモンレール１の蓄圧式燃料噴射装置を用いることで、エンジンＥの状況に応じてパイロット噴射の状態を変化させ、騒音の低減や不完全燃焼による白煙又は黒煙の発生を抑制できるようになる。また、メイン噴射に先立って少量の燃料をパルス的に噴射するパイロット噴射を行うことにより、排ガス中の窒素酸化物の量が減少するようになる。
【００２３】
また、図１に示している本機側の制御装置２００とエンジンＥ側の制御装置１００（ＥＣＵ）とを連結しているので、本機側の制御装置２００で変更されたプログラムに基づいてエンジンＥ側の制御装置１００（ＥＣＵ）に信号が送信されて、エンジンＥの制御が行われることになる。
【００２４】
図３は、前述のようなコモンレール１を有するディーゼルエンジンを搭載したコンバインの側面図を示している。
無限軌道帯（クローラ）からなる走行装置１２を有する車台１３の前方には、刈取装置１４が設けられている。この刈取装置１４で刈り取られた穀稈は、後方の脱穀装置１５に搬送されて脱穀選別される構成である。
【００２５】
脱穀装置１５の右側方には、この脱穀装置１５で脱穀選別された穀粒を一時貯溜するグレンタンク１６が設けられ、該グレンタンク１６の前方にはコンバインの各種操作を行う操作部１７が載置されている。また、車台１３の前部には、エンジンからの動力を変速して走行装置に伝動する走行伝動装置１８（トランスミッション）が設けられている。
【００２６】
１９は排出オーガであり、前記グレンタンク１６内が穀粒で満杯状態になると、排出オーガ１９から機外へ穀粒を排出するものである。
また、コンバインは操作部１７に設ける副変速レバー２０を操作して走行伝動装置１８の副変速の位置を決定し、その後、ＨＳＴレバー（走行変速レバー）２１を操作してエンジンからの動力を油圧無段変速装置（ＨＳＴ）及び走行伝動装置１８を介して走行装置１２の左右のクローラ２２、２２に伝動して任意の速度で走行する構成である。このように、前記ＨＳＴレバー２１の操作量によって速度が変速されるとともに、ＨＳＴレバー２１の前方向と後方向の操作によってコンバインが前後進する構成である。
【００２７】
また、コンバインは操作部１７に設ける操向レバー２３を左右方向に傾倒操作することによって左右方向に旋回する構成であり、さらに、操向レバー２３の左右方向への傾倒操作量によって旋回半径が決定される構成である。
【００２８】
通常、コンバインにおいては、作業中のエンジン回転数は略定格回転数であって一定回転数を保持するように構成している。これは、脱穀装置１５での脱穀選別の設計回転数は、エンジンが定格回転数のときに適正な脱穀選別が可能となるようにしているからである。そして、制御装置１００（ＥＣＵ）は、コンバインが刈取作業状態のときは、前述したアイソクロナス制御（通常作業モードＢ）によりエンジン回転数を略定格回転数で保持するように構成している。これにより、コンバインでの作業時のエンジン回転数は略定格回転以上にならないので騒音と振動が抑制される。また、コンバインの作業状態の検出は、刈取装置１４を駆動する刈取レバーや脱穀装置１５を駆動する脱穀レバーの動きを検出してもよいし、刈取装置１４や脱穀装置１５の伝動系のギヤや軸の回転を検出してもよい。
【００２９】
また、路上走行中においては、エンジン回転数は定格回転数以上であって最高回転数までの間で操作した方が最高車速が速くなるので、速やかな移動が可能となる。そして、コンバインのＨＳＴレバー２１は、ＨＳＴ（油圧無段変速装置）の可変油圧ポンプのトラニオン軸を制御して、コンバインの機体を前後進させる構成としている。
【００３０】
次に、図４について説明する。
機体が旋回を始めると、メイン噴射の前に行うパイロット噴射を行う構成にすると共に、旋回半径に応じてパイロット噴射の燃料噴射量を変更する構成としている。具体的には、旋回半径が大きくなるにしたがって、パイロット噴射の燃料噴射量を増量する構成である。図４の実施例についてはコンバインの場合である。操向レバー２３の倒し量をポジションセンサで検出し、倒し量が多くなるほどパイロット噴射の燃料噴射量を増量するようにしている。もちろん、この場合は刈取装置１４が上昇していて、非刈取作業中が条件である。
【００３１】
これにより、エンジンの回転低下を防止することができて、スムーズで速やかな旋回が可能となる。
また、図５にように、操向レバー２３の倒し量に応じて、メイン噴射の噴射量を増量する構成にしてもよい。これにより、エンジン回転数の低下を防止できて、スムーズな旋回が可能となる。
【００３２】
図６に示すように、制御装置１００（ＥＣＵ）の燃料要求噴射量が全負荷の８５％を越える場合においては、かなり負荷率が高い状態であるので、このような場合に急な旋回を行うと走行装置１２に大きな負荷が作用し、エンジン回転が下がってしまう。そこで、刈取装置１４が上昇している状態で操向レバー２３を操作して機体が旋回を始める場合には、コモンレール１のレール圧を２０Ｐａ上昇させるようにする。これにより、旋回中に急な負荷が作用しても、燃料噴射圧が事前に上昇していることで、燃料噴射量が低下するのを防止することが可能となり、スムーズな旋回が可能となる。
【００３３】
前述した図５の説明においては、操向レバー２３の倒し量に応じて要求噴射量を増大させる構成としていたが、操向レバー２３の倒し量に応じてレール圧を増大させるように構成してもよい。
【００３４】
コンバインにおいては、前述したように、刈取作業走行中は通常作業モードＢのアイソクロナス制御を行う構成としている。そして、図７に示すように、ラインＬ１がアイソクロナス制御のラインである。しかしながら、旋回時においてはアイソクロナス制御ではエンジン回転数が低下してしまうことがある。特に、湿田での旋回時には走行装置１２に大きな負荷が作用してエンジン回転数が低下してしまう。そこで、刈取装置１４が上昇していて、操向レバー２３を倒して旋回する場合においては、アイソクロナス制御から重作業モードＣの重負荷制御に自動的に切り替える構成とする。これにより、旋回速度が低下することなくスムーズに旋回可能となる。コンバインにおいては、旋回中においても脱穀装置１５内では残りの脱穀物を選別中であるので、このような場合の選別性能の低下を防止できるようになる。
【００３５】
路上走行中においては、ハイアイドル回転においてアイソクロナス制御を行う構成とする。作業車、特にコンバインにおいてはグレンタンク１６内の穀粒が空であるので、定格出力に対して約１／３程度の出力しか使用されない。そこで、図８に示すように、ハイアイドルの出力範囲Ｈ１を狭くしてもほとんどの負荷を吸収できるので、この出力範囲Ｈ１でアイソクロナス制御を行う構成とする。
【００３６】
これにより、速度変動率が少なくなり、負荷変動が起こっても車速変化が少なくなり、走行性のよい高速移動が可能となる。
図９の横軸は、コンバインのグレンタンク１６内の穀粒量を示し、縦軸はコモンレール１のレール圧と噴射タイミングを示している。ラインＬ２は、レール圧ラインであり、グレンタンク１６内の穀粒量が多くなるほどレール圧補正値は比例的に上昇する構成である。グレンタンク１６内の穀粒量が満杯状態で、＋２０ＭＰａとする。
【００３７】
ラインＬ３は噴射タイミングの補正ラインである。グレンタンク１６内の穀粒量が満杯の１／２までは噴射タイミングは補正しない構成とする。グレンタンク１６内の穀粒量が満杯状態のときに、噴射タイミングを３度ＢＴＤＣ（上死点前３度）するようにする。これにより、穀粒の増加（車体重量の増加）に伴う出力不足を補うことができるようになり、走行性能が向上するようになる。
【００３８】
図１０のラインＬ４は、アイソクロナス制御ラインであり、コンバインでは刈取作業走行、トラクタでは耕うん作業走行である。ラインＬ５は、トラクタでは代掻き作業走行などの中負荷作業時である。ラインＬ６は、路上走行などの軽負荷走行である。このような各種作業を自動的に認識して、ラインＬ４、Ｌ５、Ｌ６を自動的に設定するように構成することで、作業性が向上するとともに、燃料消費量を抑制可能となる。耕うん作業や代掻き作業は作業レバー等の位置を認識し、路上走行は副変速レバーの位置を認識するようにする。
【００３９】
ラインＬ７とＬ８は、図８で前述したように、ハイアイドル回転の領域を狭くする構成である。
また、前記ラインＬ４からＬ６の切り替えや、ラインＬ４からラインＬ８の切り替えについては、操作部１７に設けるボリュームスイッチで行うように構成してもよい。
【００４０】
図１１については、アイソクロナス制御とドループ制御を複合した出力カーブである。ラインＬ９やラインＬ１０のように、定格回転数以下の領域ではアイソクロナス制御を実施する構成としている。ラインＬ９はアクセル開度６０％ラインであり、ラインＬ１０はアクセル開度７０％ラインである。
【００４１】
そして、アクセル開度８０％ではラインＬ１１とし、アクセル開度９０％ではラインＬ１２とし、アクセル開度１００％ではラインＬ１３としている。このラインＬ１１、Ｌ１２、Ｌ１３がドループ制御である。
【００４２】
これにより、アイソクロナス制御における安定したエンジン回転数による作業性向上と、ドループ制御による高速移動性向上の両立を図ることができるようになる。
また、図１２に示しているように、ラインＬ１３はアイソクロナス制御であり、ラインＬ１４はドループ制御である。そして、このラインＬ１３とラインＬ１４においては、切換スイッチで切り換え可能にしている。即ち、軽負荷時はドループ制御としてラインＬ１４のエンジン高速域を使用し、負荷が作用する場合にはアイソクロナス制御としてラインＬ１３の定格回転数を使用する構成としている。
【００４３】
ディーゼルエンジンにおいては、ディーゼルパティキュレートフィルタ（ＤＰＦ）を排気経路中に設けて、排気ガス中の煤を捕集する構成としている。ところが、ＤＰＦ内に煤が溜まりすぎるとＤＰＦ内が詰ってしまうという不具合が生じてしまう。ＤＰＦ内の煤は、排気ガス温度が高い状態になると煤自体が燃焼して煤の除去が行われる。しかし、排気ガスの温度が低い状態においては、煤自体は燃焼しないので、ＤＰＦ内に煤が溜まってしまう。特に、コンバインにおいては、グレンタンク内の穀粒を排出するときには負荷が軽い状態であるので、排気ガスの温度は低い状態である。
【００４４】
そこで、図１３のように、ターボチャージャー付きのディーゼルエンジンにおいては、ターボのウエストゲージバルブを開いて吸入空気量を減少させ、排気ガス温度を上昇させるようにする。ステップＳ１で作業状態（副変速レバー高速以外）を確認する。ステップＳ２で籾排出中（籾排出レバー入り状態）を確認する。ステップＳ３でターボのウエストゲージバルブを開く。ステップＳ４では、籾排出レバーが切り状態になると、ターボのウエストゲージバルブを閉じて吸入空気量を元の状態に戻す。これにより、コンバインの籾排出中においては、ターボ付きのディーゼルエンジンの場合、吸入空気量を減少させることで、排気ガス温度を上昇させるようにする。排気ガス温度が上昇することで、ＤＰＦ内の煤が燃焼してＤＰＦの再生が行われるようになる。
【００４５】
図１４の上側のグラフのラインＬ１５は、エンジン回転数の変動を示している。ラインＬ１６は、各気筒への燃料噴射の有無ラインである。＃１、＃２、＃３、＃４は気筒番号である。
【００４６】
この４気筒エンジンの着火順序は、＃１、＃３、＃４、＃２である。ラインＬ１５のポイントＺのように、第二気筒＃２の回転が安定していないので、着火性が悪い状態であると判断できる。着火性の悪い気筒に燃料噴射を行うと、燃料が無駄になるばかりでなく、未燃焼ガスの発生により大気を汚染してしまう。
【００４７】
そこで、＃１、＃３、＃４、＃２の着火を２工程繰り返したところで、３工程目からは、ラインＬ１６ａのように、第二気筒＃２には燃料を噴射しないようにする。これにより、無駄な燃料を使用することを防止できるようになる。また、未燃焼物質の発生を抑制できるようになる。その後、エンジン全体の回転が安定したところで、第二気筒＃２への燃料噴射を行うようにする。
【００４８】
また、図１４の上のグラフのように、第二気筒＃２の着火が悪い状態をＥＣＵに記憶させておいて、次回のエンジン始動時からは、最初の第一工程から第二気筒＃２への燃料噴射を行わないようにしてもよい。
【産業上の利用可能性】
【００４９】
コンバイン等の農作業機を始め一般車両にも利用可能である。
【図面の簡単な説明】
【００５０】
【図１】蓄圧式燃料噴射装置の全体構成図
【図２】制御モードによるエンジン回転数と出力トルクの関係を示す線図
【図３】コンバインの左側面図
【図４】操向レバー倒し量とパイロット噴射量の関係図
【図５】操向レバー倒し量とメイン噴射量の関係図
【図６】エンジン回転数と燃料噴射量の関係図
【図７】エンジン回転数と出力トルクの関係を示す線図
【図８】エンジン回転数と出力トルクの関係を示す線図
【図９】グレンタンク内の穀粒量とコモンレール圧との関係図
【図１０】エンジン回転数と出力トルクの関係を示す線図
【図１１】エンジン回転数と出力トルクの関係を示す線図
【図１２】エンジン回転数と出力トルクの関係を示す線図
【図１３】フローチャート図
【図１４】エンジン始動時の経過時間とエンジン回転数及び燃料噴射量の関係図
【符号の説明】
【００５１】
Ｅ    エンジン
１    コモンレール
６    燃料噴射ノズル
２３    旋回半径決定手段（操向レバー）
【図１】
2009085066.tif 000003
【図２】
2009085066.tif 000004
【図３】
2009085066.tif 000005
【図４】
2009085066.tif 000006
【図５】
2009085066.tif 000007
【図６】
2009085066.tif 000008
【図７】
2009085066.tif 000009
【図８】
2009085066.tif 000010
【図９】
2009085066.tif 000011
【図１０】
2009085066.tif 000012
【図１１】
2009085066.tif 000013
【図１２】
2009085066.tif 000014
【図１３】
2009085066.tif 000015
【図１４】
2009085066.tif 000016